(57)【要約】【課題】  簡単な構成でオーディオ機器の電源などの制御ができるようにする。【解決手段】  オーディオ出力端子からオーディオ信号が出力される期間に、リレー駆動用の直流電圧を重畳し、オーディオ信号を受信する機器が備えるリレーを制御する。また、この場合に、直流電圧の重畳を開始してから所定期間ｔ１は、リレーを起動させるのに必要な第１の直流電圧Ｖ１を重畳し、所定期間ｔ１が経過した後は、起動されたリレーの状態を維持できる第２の直流電圧Ｖ２を重畳するようにした。【選択図】      図４
2005269248.tif 000002
【特許請求の範囲】
【請求項１】
オーディオ出力端子からオーディオ信号が出力される期間に、リレー駆動用の直流電圧を重畳し、オーディオ信号を受信する機器が備えるリレーを制御する
送信方法。
【請求項２】
請求項１記載の送信方法において、
前記直流電圧として、重畳を開始してから所定期間は、前記リレーを起動させるのに必要な第１の電圧値の直流電圧を重畳し、前記所定期間が経過した後は、起動された前記リレーの状態を維持できる前記第１の電圧値よりも低い第２の直流電圧を重畳する
送信方法。
【請求項３】
請求項２記載の送信方法において、
前記第１の電圧値の直流電圧を重畳する所定期間は、前記リレーにより駆動される手段で、前記オーディオ信号の処理ができるまで無音状態とされるミューティング期間よりも短い期間とした
送信方法。
【請求項４】
請求項１記載の送信方法において、
前記オーディオ出力端子から出力されるオーディオ信号は、電流伝送方式のオーディオ信号とし、この電流伝送方式のオーディオ信号に、前記リレー駆動用の直流電圧を重畳する
送信方法。
【請求項５】
受信機器に送信するオーディオ信号を出力する出力端子と、
前記出力端子から出力させるオーディオ信号に、受信側の機器のリレー駆動用の直流電圧を重畳する送信処理部とを備えた
送信装置。
【請求項６】
請求項５記載の送信装置において、
前記送信処理部は、重畳を開始してから所定期間は、前記リレーを起動させるのに必要な第１の電圧値の直流電圧を重畳し、前記所定期間が経過した後は、起動された前記リレーの状態を維持できる前記第１の電圧値よりも低い第２の直流電圧を重畳する
送信装置。
【請求項７】
請求項５記載の送信装置において、
前記送信処理部が設定する前記所定期間は、前記出力端子から出力されるオーディオ信号を受信する機器で、前記オーディオ信号の処理ができるまで無音状態とされるミューティング期間よりも短い期間とした
送信装置。
【請求項８】
請求項５記載の送信装置において、
前記送信処理部が前記オーディオ出力端子から出力させるオーディオ信号は、電流伝送方式のオーディオ信号であり、この電流伝送方式のオーディオ信号に、前記リレー駆動用の直流電圧を重畳する
送信装置。
【発明の詳細な説明】
【技術分野】
【０００１】
本発明は、例えばアナログオーディオ信号の伝送に適用して好適な送信方法及び送信装置に関する。
【背景技術】
【０００２】
従来、オーディオ信号をオーディオ機器の間で伝送する場合には、オーディオ信号の伝送ケーブルで接続する以外に、何らかのケーブルで接続する必要がある場合があった。例えば、リスニングルーム内にフロントスピーカ、リアースピーカ、スーパーウーハーなどの多数のスピーカを配置し、その多数のスピーカの内で、スーパーウーハーのように、アンプ装置が内蔵されたスピーカ装置があるとする。このような場合、アンプ装置が内蔵されたスピーカ装置については、オーディオ信号を出力する機器側から、電源のオン・オフ制御などを行う必要があり、オーディオ信号の伝送ケーブルとは別に、何らかの制御ラインで接続する必要がある。
【０００３】
特許文献１には、オーディオ再生システムにおいて、スピーカ装置を含む各装置をバスラインで接続して、バスラインで電源のオン・オフ制御などを行うデータを伝送することについての開示がある。
【特許文献１】特開平６−１９５９５６号公報
【発明の開示】
【発明が解決しようとする課題】
【０００４】
ところが、このようにオーディオ信号の伝送ケーブル以外のケーブルで機器間を接続するようにすると、機器の接続構成が複雑化する問題があった。この問題点を解決するためには、例えば機器間のオーディオ信号の伝送を、デジタル化されたデジタルオーディオデータで行い、そのデジタルデータに制御データを多重化するようにすれば、１本のバスラインで機器間を接続することが可能であるが、このようなデジタル化されたオーディオデータを伝送するためには、送信側でのデジタルデータへの変換と、受信側でのアナログデータへの変換が必要で、構成が複雑化してしまう。
【０００５】
本発明の目的は、簡単な構成でオーディオ機器の電源などの制御ができるようにすることにある。
【課題を解決するための手段】
【０００６】
本発明は、オーディオ出力端子からオーディオ信号が出力される期間に、リレー駆動用の直流電圧を重畳し、オーディオ信号を受信する機器が備えるリレーを制御するようにしたものである。
【０００７】
このようにしたことで、アナログオーディオ信号を伝送するケーブルで機器の間を接続するだけで、受信側の機器の電源リレーなどをコントロールできるようになる。
【発明の効果】
【０００８】
本発明によると、アナログオーディオ信号を伝送するケーブルで機器の間を接続するだけで、受信側の機器の電源リレーなどをコントロールでき、オーディオ機器の接続構成を簡単にすることができる。
【０００９】
この場合、重畳する直流電圧として、重畳を開始してから所定期間は、リレーを起動させるのに必要な第１の電圧値の直流電圧を重畳し、所定期間が経過した後は、起動されたリレーの状態を維持できる第１の電圧値よりも低い第２の直流電圧を重畳するようにしたことで、最低限の直流電圧の重畳で、リレーをコントロールできるようになり、少ない電力でコントロールできるとともに、直流電圧が重畳されるアナログオーディオ信号への影響を最小限に抑えることができる。
【００１０】
また、第１の電圧値の直流電圧を重畳する所定期間は、リレーにより駆動される手段で、オーディオ信号の処理ができるまで無音状態とされるミューティング期間よりも短い期間としたことで、リレーを起動させるのに必要な第１の電圧値の直流電圧については、アナログオーディオ信号への影響を無視した比較的大きな電圧値とすることができ、伝送されるオーディオ信号の再生に影響を及ぼすことなく、リレーを良好にコントロールできる。
【００１１】
また、オーディオ出力端子から出力されるオーディオ信号は、電流伝送方式のオーディオ信号とし、この電流伝送方式のオーディオ信号に、リレー駆動用の直流電圧を重畳することで、受信側で、リレー駆動用の直流電圧と全く干渉されずにオーディオ信号を取り出すことができ、良好にオーディオ信号を伝送できる。
【発明を実施するための最良の形態】
【００１２】
以下、本発明の一実施の形態を、添付図面を参照して説明する。
本例においては、例えば図１に示す構成で伝送を行なう場合を想定している。即ち、オーディオ機器としてのオーディオ再生装置１０を設け、このオーディオ再生装置１０のオーディオ出力端子１２から出力されるアナログオーディオ信号を、１本のアナログオーディオ信号伝送用のケーブルで、アンプ内蔵型のスピーカ装置２０のオーディオ入力端子２２に供給する。オーディオ再生装置１０は、内蔵された電源回路１１からの電源で作動し、スピーカ装置２０は、内蔵された電源回路２１からの電源でアンプが作動して、入力したアナログオーディオ信号に増幅などの処理を施して、内蔵されたスピーカユニットから放音させる。それぞれの電源回路１１，２１は、電源プラグ１１ａ，２１ａを、商用交流電源が得られるコンセント(図示せず)に接続することで、商用交流電源を得て、それぞれの装置を作動させる。
【００１３】
ここで本例においては、スピーカ装置２０内の電源回路２１のオン・オフを、スピーカ装置２０内のリレーでコントロールするようにしてあり、そのリレーの駆動を、オーディオ入力端子２２に供給される信号で行うようにしてある。なお、本例のスピーカ装置２０は、電源回路２１を制御するリレーが作動して、電源がオン状態になったとき、そのオン状態になったタイミングから所定期間（例えば２秒間）は、そのスピーカ装置２０内のスピーカからはオーディオが出力させない無音状態とされる、ミューティング処理を行うようにしてある。このミューティング処理を行うのは、主としてアンプの動作が安定するのに必要な時間を確保して、歪んだ音がスピーカから出力されないようにするためである。
【００１４】
図２は、本例のオーディオ再生装置１０のオーディオ信号送信部１０ａの構成を示した図である。オーディオ信号送信部１０ａは、アナログオーディオ信号の出力端子１２を有する。出力端子１２は、例えばピンジャックで構成されて、信号ＳＩＧと接地ＧＮＤの端子を有する。この例では、アンプ装置１０内で処理されたオーディオ信号がコンデンサＣ１を介して供給されて、オペアンプＯＰ１の一方（＋側）の入力端に供給する。このオペアンプＯＰ１の出力端と他方（−側）の入力端とは接続してあり、オペアンプＯＰ１の出力端が出力端子１１の信号ＳＩＧ側に接続してある。
【００１５】
コンデンサＣ１とオペアンプＯＰ１の入力端との間には、電源電圧Ｖccが得られる電源端子を、スイッチＳＷ１と抵抗器Ｒ１の直列回路を介して接続してあり、また同じ電源端子を、スイッチＳＷ２と抵抗器Ｒ２の直列回路を介して接続してある。さらに、コンデンサＣ１とオペアンプＯＰ１の入力端との間を、抵抗器Ｒ３を介して接地側に接続させてある。
【００１６】
スイッチＳＷ１とスイッチＳＷ２の開閉は、このオーディオ再生装置１０のオーディオ再生制御部（図示せず）によりコントロールされ、オーディオ信号が出力される期間に、２つのスイッチＳＷ１及びＳＷ２の開閉を制御するようにしてある。スイッチＳＷ１及びＳＷ２をオン状態としたときには、オーディオ出力端子１１から出力されるオーディオ信号に、直流電圧が重畳された状態となる。その直流電圧の重畳状態と、重畳させる制御状態の詳細については、後述する。
【００１７】
次に、電源電圧されたオーディオ信号を受信する機器である、スピーカ装置２０側の受信部２０ａの構成を、図３を参照して説明する。オーディオ入力端子２２は、例えばピンジャックで構成されて、信号ＳＩＧと接地ＧＮＤの端子を有する。この入力端子２２の信号ＳＩＧ側は、コンデンサＣ１１，Ｃ１２を介してオペアンプＯＰ２の一方（＋）の入力端に接続し、このオペアンプＯＰ２の出力端と他方（−）の入力端とを接続した上で、オペアンプＯＰ２の出力端から受信したオーディオ信号を取り出す。
【００１８】
コンデンサＣ１１，Ｃ１２の接続点は、抵抗器Ｒ１１を介して接地させてあり、コンデンサＣ１２とオペアンプＯＰ２との接続点を、抵抗器Ｒ１２を介して接地させてある。また、コンデンサＣ１１と並列に、リレーコイル２３を接続してある。リレーコイル２３は、このスピーカ装置２０の電源回路２１の電源供給動作をオン・オフ制御するリレー装置のコイルである。なお、抵抗器Ｒ１２の抵抗値は、以下の関係となるようにしてある。
【００１９】
リレーコイル２３と並列に接続されたコンデンサＣ１１については、比較的容量の大きなコンデンサとし、抵抗器Ｒ１１については、リレーコイル２３の抵抗値よりも比較的小さな抵抗値の抵抗器として、オーディオ信号のレベルをオペアンプＯＰ２側で読み出す構成としてある。このように構成してあることで、オーディオ入力端子２２に得られるオーディオ信号に直流バイアス電圧が重畳されて、そのバイアス電圧の電圧値が、リレーコイル２３で構成されるリレーを駆動させるのに十分な電圧値である場合に、リレーが作動する。また、直流バイアス電圧が重畳されたオーディオ信号については、コンデンサＣ１１とその周辺回路でバイアス電圧の影響が除去されて、オペアンプＯＰ２の出力端からバイアス電圧が除去されたオーディオ信号が取り出せる。
【００２０】
次に、図１に示したシステム構成として、オーディオ再生装置１０からスピーカ装置２０にオーディオを伝送する際の処理例を、図４のタイミング図を参照して説明する。まず、オーディオ再生装置１０からオーディオ信号の出力を開始させる際には、図２に示したオーディオ信号送信部１０ａ内の２つのスイッチＳＷ１及びＳＷ２を両方とも、オフ状態からオン状態に変化させる。図４の（ｂ）は、スイッチＳＷ１がオン状態になる期間を示し、図４の（ｃ）は、スイッチＳＷ２がオン状態になる期間を示している。この２つのスイッチＳＷ１及びＳＷ２が両方ともオン状態である場合には、図４の（ａ）に示すように、電圧値がＶ１となる。この電圧値Ｖ１は、スピーカ装置２０内のリレーを起動させるのに十分な電圧値としてある。なお、図４の（ａ）に示した１２の出力電圧は、オーディオ信号に重畳される直流バイアス電圧だけを示してあり、オーディオ信号波形については省略してある。
【００２１】
その後、スイッチＳＷ１及びＳＷ２の双方をオン状態にしてから所定期間ｔ１（例えば１秒間）が経過すると、スイッチＳＷ１をオフ状態に変化させて、スイッチＳＷ２だけをオン状態とする。このスイッチＳＷ１及びＳＷ２の双方がオン状態の期間ｔ１は、ここではスピーカ装置２０内でミューティング処理が行われる期間（例えば２秒間）と同じか、それよりも短い期間としてある。
【００２２】
このスイッチＳＷ２だけがオン状態である場合には、図４の（ａ）に示すように、直流バイアス電圧は、電圧値Ｖ１よりも低い電圧値Ｖ２となる。この電圧値Ｖ２は、スピーカ装置２０内のリレーの駆動状態を維持するのに十分な電圧値である。但し、電圧値Ｖ２を印加しただけでは、リレーは起動しなく、最初に電圧値Ｖ１を印加させる必要がある。そして、オーディオ再生装置１０の出力端子１２からオーディオ信号の出力が続く限り、スイッチＳＷ２のオン状態を維持させて、オーディオ信号の出力を停止させるとき（即ち図４に示した期間ｔ２が経過すると）、スイッチＳＷ２をオフ状態として、直流バイアス電圧の重畳を停止させる。
【００２３】
このようにして、オーディオ再生装置１０側からオーディオ信号に重畳した信号で、スピーカ装置２０の電源の制御ができることで、オーディオ再生装置１０とスピーカ装置２０との間を１本のアナログオーディオ信号伝送ケーブルで接続するだけで、オーディオ信号の伝送と、制御信号の伝送とが行え、接続構成が簡単になる。この場合、図４に示したように、スピーカ装置２０内のアンプで電源立ち上げ時にミューティング処理が行われる期間内に、比較的高いバイアス電圧を重畳して、リレーを起動させて、その後はリレーの駆動状態を維持できる最低限のバイアス電圧を重畳するようにしたので、オーディオ信号に直流電圧を重畳することによる、スピーカ装置２０で出力されるオーディオの音質への影響を最小限に抑えることができる。
【００２４】
なお、上述した実施の形態では、オーディオ再生装置１０から出力されるオーディオ信号としては、一般的なアナログオーディオ信号伝送に使用される電圧伝送方式、即ち電圧振幅でオーディオ信号波形を伝送する方式を想定したが、電流伝送方式、即ち電流値の変化でオーディオ信号波形を伝送する方式を適用してもよい。オーディオ再生装置１０内のオーディオ信号送信部１０ａで、電流伝送方式のアナログオーディオ信号を出力端子１２から出力させる処理を行うとともに、この電流伝送方式のアナログオーディオ信号に、リレー駆動用の直流バイアス電圧を重畳する。この場合の直流バイアス電圧としては、例えば図４に示した制御を行う。このようにすることで、受信側の機器（本例の場合にはスピーカ装置２０）で、直流バイアス電圧の影響を全く受けずに、伝送されたオーディオ信号成分を取り出すことができ、直流バイアス電圧の重畳による音質劣化を完全に防ぐことができる。
【００２５】
また、受信側の機器であるスピーカ装置２０内の受信部２０ａが備える回路であるオペアンプＯＰ２（図３）に供給する電源電圧の制御によっても、リレー駆動用の直流バイアス電圧を重畳されたアナログオーディオ信号の伝送を、良好に行うことができる。例えば、スピーカ装置２０が備える電源リレーの定格電圧を１２Ｖとし、オペアンプＯＰ２に電源として＋−１５Ｖを印加する場合を想定すると、このような電圧設定では、リレーを駆動できる可能性はあるが、オーディオ信号を伝送するための振幅の余裕が少ない状態になってしなう。このような場合、オペアンプＯＰ２に印加する電源として、＋側の電圧を２４Ｖとし、−側の電圧を６Ｖとすることで、オペアンプの定格電圧内で使用し、かつ２４Ｖの電源電圧が＋側には供給されるため、１２Ｖのリレーを駆動しながら、オーディオ信号を伝送させる余裕も確保できるようになる。
【００２６】
なお、ここまで説明した実施の形態では、オーディオ再生装置からスピーカ装置にアナログオーディオ信号を伝送する場合に適用したが、その他のオーディオ機器でオーディオ信号に重畳して電源などのコントロール信号を伝送する必要がある場合にも、ここまで説明した処理が適用可能であることは勿論である。
【００２７】
送信側の機器と受信側の機器とを接続する接続端子についても、上述した実施の形態ではピンジャックで構成された端子としたが、ミニプラグ用のジャックや、キャノンケーブル用のジャック等、その他の端子構造としてもよい。
【図面の簡単な説明】
【００２８】
【図１】本発明の一実施の形態による伝送構成例を示した説明図である。
【図２】本発明の一実施の形態による送信部の構成例を示したブロック図である。
【図３】本発明の一実施の形態による受信部の構成例を示したブロック図である。
【図４】本発明の一実施の形態による出力変化例を示したタイミング図である。
【符号の説明】
【００２９】
１０…オーディオ再生装置、１０ａ…送信部、１１…電源回路、１２…オーディオ出力端子、２０…アンプ内蔵スピーカ装置、２０ａ…受信部、２１…電源回路、２２…オーディオ入力端子、２３…リレーコイル
【図１】
2005269248.tif 000003
【図２】
2005269248.tif 000004
【図３】
2005269248.tif 000005
【図４】
2005269248.tif 000006